(57)【要約】【課題】シンク上に形成されたごみ投入口周辺の凹凸部を無くし、ごみ溜りが無く、清掃性に優れた流し台シンク一体型生ごみ処理機を提供する。【解決手段】流し台１のシンク４の天面５に設けられ、生ごみの投入口となる開口部６と、前記開口部６を閉鎖する投入口蓋７と、投入された生ごみの収納及び乾燥処理を行う内容器１３とを備え、前記開口部６の位置を含め、前記天面５には凹凸を形成しない平滑面とすると共に、前記開口部６の位置高さを前記天面５と略同一としたもので、生ごみの投入口となる開口部６周辺に凹凸形状が無いので、こぼれたごみの拾い出し作業がいらず、平滑化した天面の清掃と同様、布巾による拭き操作のみで排除可能となる。これにより使用者の清掃メンテナンス性が大きく向上することができる。【選択図】図１
2010115622.tif 000002
【特許請求の範囲】
【請求項１】
流し台のシンクの天面に設けられ、生ごみの投入口となる開口部と、前記開口部を閉鎖する投入口蓋と、投入された生ごみの収納及び乾燥処理を行う収納容器とを備え、前記開口部の位置を含め、前記天面には凹凸を形成しない平滑面とすると共に、前記開口部の位置高さを前記天面と略同一とした流し台シンク一体型生ごみ処理機。
【請求項２】
開口部を形成した天面を、シンクに設けた排水口に向かって前下がり状に傾斜させたことを特徴とする請求項１に記載の流し台シンク一体型生ごみ処理機。
【発明の詳細な説明】
【技術分野】
【０００１】
本発明は、生ごみ等の厨芥を乾燥処理する機能を備えた流し台シンク一体型生ごみ処理機に関するものである。
【背景技術】
【０００２】
従来、この種の流し台シンク一体型生ごみ処理機は、生ごみの処理収納に加え流し台シンク天面の平滑面確保を目的として、シンク天面より一段下方に形成させた凹位置面に開口部を設けると共に、閉鎖体である投入口蓋閉鎖時に、前記シンク天面と蓋面の上面がフラット状となるように構成されている（例えば、特許文献１参照）。
【０００３】
図５は、上記特許文献１に記載された従来の流し台シンク一体型生ごみ処理機の主要断面図を示すものである。
【０００４】
図５に示すように、従来の流し台シンク一体型生ごみ処理機は、シンク天面６１と、一段下方に形成した凹位置面６２と、生ごみを投入するための開口部６３と、生ごみを収納する収納容器６４と、投入口蓋６５と、乾燥手段６６と、生ごみを攪拌する攪拌羽根６７と、攪拌羽根６７を回転駆動するモータ６８から構成され、モータ６８で攪拌羽根６７を回転駆動して生ごみを攪拌しながら、乾燥手段６６から熱風を生ごみに吹きつけて生ごみを乾燥処理するようになっている。
【特許文献１】特許第３６７６７９６号公報
【発明の開示】
【発明が解決しようとする課題】
【０００５】
しかしながら、前記従来の流し台シンク一体型生ごみ処理機の構成では、投入口蓋６５で開口部６３を閉鎖した時に、シンク天面６１と投入口蓋６５の上面をフラット状とするため、前記投入口蓋６５の厚み分の寸法の吸収を見込み、シンク天面６１より一段下方に凹位置面６２を形成し、開口部６３並びに投入口蓋６５を設けなくてはならなかった。その結果、生ごみ投入時の投入口蓋６５の開放時には、開口部６３の周囲の凹位置面６２が凹溝部を形成することになり、ここに生ごみ等がこぼれ落ち、溜まりやすくなり、清掃がしにくいなどの課題を有していた。
【０００６】
本発明は、前記従来の課題を解決するもので、清掃性に優れた流し台シンク一体型生ごみ処理機を提供することを目的とする。
【課題を解決するための手段】
【０００７】
前記従来の課題を解決するために、本発明の流し台シンク一体型生ごみ処理機は、流し台のシンクの天面に設けられ、生ごみの投入口となる開口部と、前記開口部を閉鎖する投入口蓋と、投入された生ごみの収納及び乾燥処理を行う収納容器とを備え、前記開口部の位置を含め、前記天面には凹凸を形成しない平滑面とすると共に、前記開口部の位置高さを前記天面と略同一としたもので、生ごみの投入口となる開口部周辺に凹凸形状が無いので、こぼれたごみの拾い出し作業がいらず、平滑化した天面の清掃と同様、布巾による拭き操作のみで排除可能となる。これにより使用者の清掃メンテナンス性が大きく向上する。
【発明の効果】
【０００８】
本発明の流し台シンク一体型生ごみ処理機は、使用者の清掃メンテナンス性が大きく向上することができる。
【発明を実施するための最良の形態】
【０００９】
第１の発明は、流し台のシンクの天面に設けられ、生ごみの投入口となる開口部と、前記開口部を閉鎖する投入口蓋と、投入された生ごみの収納及び乾燥処理を行う収納容器とを備え、前記開口部の位置を含め、前記天面には凹凸を形成しない平滑面とすると共に、前記開口部の位置高さを前記天面と略同一としたもので、生ごみの投入口となる開口部周辺に凹凸形状が無いので、こぼれたごみの拾い出し作業がいらず、平滑化した天面の清掃と同様、布巾による拭き操作のみで排除可能となる。これにより使用者の清掃メンテナンス性が大きく向上する。
【００１０】
第２の発明は、特に、第１の発明の開口部を形成した天面を、シンクに設けた排水口に向かって前下がり状に傾斜させたもので、ごみ溜まりの排除と清掃面の凹凸排除に加え、傾斜により、水溜まり並びに開口部への水進入の防止が行えるものとなり、乾燥方式による生ごみ処理を行う流し台シンク一体型生ごみ処理機にとって、その余分な水の進入を防止することで、処理性能の向上に貢献するものとなる。その結果、清掃性の良化と生ごみの乾燥処理性能に優れた流し台シンク一体型生ごみ処理機を提供することが出来る。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における流し台シンク一体型生ごみ処理機の全体斜視図及び投入口蓋を開けた状態の要部斜視図、図２、３は、同流し台シンク一体型生ごみ処理機の主要断面図であり、詳細な構成を示す図である。
【００１３】
図１において、１は、下方を収納庫とし、上部に排水口２並びに上水道の蛇口３を設けてなるシンク４を備え付けた流し台であり、前記シンク４の天面５には、生ごみを投入するための開口部６を形成し、後述の乾燥手段を有した生ごみ処理機をその下部に配設させている。７は、前記生ごみの投入を行うための開口部６を閉鎖する投入口蓋であり、回動軸８を介して開閉自在に取着されている。
【００１４】
次に、図２並びに図３を用いて、生ごみ処理機の構成の詳細を説明する。
【００１５】
１０は、流し台１のシンク４内に設けられた外容器であり、略円筒状に形成した容器体で構成し、その上端にはフランジ部１１を形成している。前記外容器１０は、シンク４の上部より、シンク４の天面５に設けた開口部６より挿入されて取り付けられるもので、挿入後、前記フランジ部１１にて淵部１２を構成する。特に、外容器１０のフランジ部１１を、天面５に設けた開口部６の周囲に形成された全周に低段差部５１に設置させる構成とし、取り付けたフランジ部１１は、シンク４の天面５と同一面となるようにしている。また、下部にはその内部に収納する後述の内容器１３に駆動連結させるための連結軸１５を配設させている。３０は、外容器１０の外周に巻きつけ接着固定された板状の発熱ヒータであり、外容器１０の下方外郭の温度を上昇させるのを目的として取り付けられている。
【００１６】
１３は、前記外容器１０内に着脱自在に収納装着される内容器であり、シンク４の上方より投入された生ごみを収納する収納容器並びに乾燥処理容器として設けてられている。この内容器１３は、外容器１０と同様略円筒状の容器として構成され、その上部には、外容器１０から取り外した際、内容器１３の持ち運びをサポートするハンドル５２を有しており、このハンドル５２は、回動軸１４により内容器１３の上端に回動自在に取り付けられている。
【００１７】
また、内容器１３の内部下方には、投入された生ごみを攪拌するための攪拌刃１６を取り付けた回転軸１７が回転自在に設けられると共に、外容器１０の底部を貫通して突出した連結軸１５に、連結部１８を介して嵌合連結することが出来るように構成されている。
【００１８】
また、前記外容器１０に設けられた発熱ヒータ３０の熱伝導作用を、効率的に行えるように収納時に外容器１０の内面と接触する線状リブ３１を設けている。
【００１９】
次に１９は、前記外容器１０の外郭フレームとした外容器フレームであり、側面に乾燥手段２０並びに脱臭排気手段２１が配設され、その下方には、連結軸１５を回転駆動するための駆動モータ２２を具備すると共に、流し台１内部で外容器１０を固定ねじによる締結部２３により固定されている。
【００２０】
前記乾燥手段２０には、熱源ヒータ３８並びに送風機３２を設けると共に、後述の送風経路２９に連結される送風パイプ３３を具備し、前記脱臭排気手段２１には、前記加熱作用で生ごみから発生した水蒸気の凝縮装置３５並びに、脱臭触媒３６を有し、外容器１０並びに内容器１３の側壁に、互いに連通するように設けた連通穴部３４を含む経路３７により、流し台１の下方外部に排気する構成としている。
【００２１】
また、７は、前記シンク４の天面５に設けた開口部６の閉鎖体となる投入口蓋であり、回動軸８を有して、流し台１の後方方向に倒立開閉自在に設けられている。
【００２２】
また、前記投入口蓋７は、上部外郭を形成する蓋上２７と、閉鎖時のタイトを行うパッキン４０を有する蓋下２８とで構成され、前記両部材の間に前記乾燥手段２０からの送風パイプ３３が連結される送風経路２９が形成されると共に、蓋下２８に噴出し口４１を設けている。また、投入口蓋７の開閉を感知するために、蓋下２８と外容器１０のフランジ部１１に磁石スイッチ３９が設けられ、その開閉感知により、生ごみの乾燥処理を行う運転のオンオフ制御を行うものとしている。
【００２３】
以上のように構成された本実施の形態における流し台シンク一体型生ごみ処理機の動作、作用を以下に説明する。
【００２４】
まず、シンク４の天面５に設けた開口部６から内容器１３内に水を切った生ごみを都度投入し、その量がある程度一杯になったら、図示しないスイッチをＯＮする。それにより、駆動モータ２２、送風機３２、熱源ヒータ３８、発熱ヒータ３０に通電され、内容器１３内の生ごみが、外容器１０に設けた発熱ヒータ３０で加熱されながら、攪拌刃１６で攪拌される。一方、熱源ヒータ３８で加熱された空気が送風機３２により、送風パイプ３３を通って投入口蓋７に設けた噴出し口４１から、内容器１３内に噴出され、それにより生ごみからの蒸気拡散を促し、多量に蒸気を含んだ空気は、連通穴部３４を通って、凝縮装置３５に至り、そこで蒸気分が凝縮されて液体となり外部に排出される。一方、蒸気分が除去された空気は、経路３７を通って、脱臭触媒３６に至り、そこで脱臭され、臭いが大幅に低減された空気が外部に排出されるようになっている。
【００２５】
また、本実施の形態では、シンク４の天面５に設けた開口部６の全周に低段差部５１を設け、且つその低段差部５１に外容器１０の上端に形成したフランジ部１１を覆い被せるように設置させ、そのフランジ部１１の厚みと低段差部５１の段差量を同一以上に設定しているので、天面５と前記フランジ部１１の表面が同一面で構成され、その結果、従来の構成で発生していた投入口周辺に形成させていた凹溝部等のごみ溜まり部、もしくは清掃性が悪い箇所の撤廃となり懸念された課題の解決となる。
【００２６】
以上のように本実施の形態によれば、ごみ溜まりの排除、清掃面の凹凸の排除により、清掃性が大幅に向上した流し台シンク一体型生ごみ処理機を提供することができる。
【００２７】
（実施の形態２）
図４は、本発明の第２の実施の形態における流し台シンク一体型生ごみ処理機の主要断面図である。なお、上記第１の実施の形態における流し台シンク一体型生ごみ処理機と同一部分には同一符号を付してその説明を省略する。
【００２８】
本実施の形態における流し台シンク一体型生ごみ処理機は、図４に示すように、生ごみの投入口となる開口部６を形成するシンク４の天面５を、シンク４内の排水口５０方向に向かって前下がり状に傾斜させたもので、他の構成は、上記第１の実施の形態における流し台シンク一体型生ごみ処理機と同一である。
【００２９】
本実施の形態によれば、ごみ溜まりの廃除と清掃面の凹凸排除に加え、シンク４の天面５を傾斜させたことにより、水溜まり並びに開口部６に水が進入するのを防止することができ、熱乾燥方式による生ごみ処理を行う流し台シンク一体型生ごみ処理機にとって、その余分な水進入除去は処理性能の向上に貢献するものとなる。
【産業上の利用可能性】
【００３０】
以上のように、本発明に係る流し台シンク一体型生ごみ処理機は、天面に設けた生ごみ投入用の開口部を、天面と同一面として凹溝部を廃止したことにより、こぼれ落ちによる生ごみ溜まりを廃除し、同時に、天面に凹凸を形成していないので、清掃性の良化が確保でき清潔で且つ清掃性の良いもので、清潔台所機器等の用途にも適用できる。
【図面の簡単な説明】
【００３１】
【図１】（ａ）本発明の実施の形態１における流し台シンク一体型生ごみ処理機の全体斜視図、（ｂ）同流し台シンク一体型生ごみ処理機の投入口蓋を開けた状態の要部斜視図
【図２】同流し台シンク一体型生ごみ処理機の主要断面図
【図３】同流し台シンク一体型生ごみ処理機の主要断面図
【図４】本発明の実施の形態２における流し台シンク一体型生ごみ処理機の主要断面図
【図５】従来の流し台シンク一体型生ごみ処理機の主要断面図
【符号の説明】
【００３２】
１  流し台
２  排水口
３  蛇口
４  シンク
５  天面
６  開口部
７  投入口蓋
８  回動軸
１０  外容器
１１  フランジ部
１２  淵部
１３  内容器（収納容器）
１４  回動軸
１５  連結軸
１６  攪拌刃
１７  回転軸
１８  連結部
２０  乾燥手段
２１  脱臭排気手段
２２  駆動モータ
２３  締結部
３０  発熱ヒータ
３１  線状リブ
３３  送風パイプ
３４  連通穴部
３５  凝縮装置
３６  脱臭触媒
３７  経路
３９  磁石スイッチ
５１  低段差部
【図１】
2010115622.tif 000003
【図２】
2010115622.tif 000004
【図３】
2010115622.tif 000005
【図４】
2010115622.tif 000006
【図５】
2010115622.tif 000007